(57)【特許請求の範囲】
【請求項１】
ゼンマイを駆動源とするゼンマイ式タイムスイッチであって、
軸線周りに回転可能な回転軸と、
前記回転軸と同軸状に配置され、前記回転軸にトルクリミッタを介して結合された歯車と、
外周面に前記ゼンマイが巻回され、周方向に遊びをもって前記回転軸と一体に回転可能な円筒状の筒状部材と、
前記軸線周りの一方側に回転する際に前記歯車と係合し、前記軸線周りの他方側に回転する際には前記歯車との係合が解除される係合爪、および前記ゼンマイの内側端部を保持するゼンマイ保持部を備えたラチェット部材と、
を有し、
前記筒状部材には、前記筒状部材の外周面で開口して前記ゼンマイ保持部が嵌った切欠きと、前記切欠きの径方向内側で前記ゼンマイ保持部と前記回転軸との間に介在する仕切り壁と、が設けられていることを特徴とするゼンマイ式タイムスイッチ。
【請求項２】
前記トルクリミッタは、前記回転軸と前記歯車との間に設けられた摩擦結合部であることを特徴とする請求項１に記載のゼンマイ式タイムスイッチ。
【請求項３】
前記筒状部材は、前記回転軸に嵌る第１円筒部と、前記第１円筒部より大の内径をもって前記第１円筒部の軸線方向の一方側に連接し、前記切欠きおよび前記仕切り壁が設けられた第２円筒部と、を有し、
前記仕切り壁は、前記第１円筒部の前記軸線方向の前記一方側の端面と繋がっており、
前記筒状部材は、前記回転軸から径方向外側に突出した軸部が前記仕切り壁に周方向から当接した際に前記回転軸と一体に回転可能であることを特徴とする請求項１または２に記載のゼンマイ式タイムスイッチ。
【請求項４】
前記仕切り壁の径方向内側の面は、前記第１円筒部の内周面と連続した面を構成し、前記回転軸の外周面に接していることを特徴とする請求項３に記載のゼンマイ式タイムスイッチ。
【請求項５】
前記筒状部材には、径方向外側に突出して前記ラチェット部材を前記歯車とは反対側から面で支持する支持板部を備えていることを特徴とする請求項１から４までの何れか一項に記載のゼンマイ式タイムスイッチ。
【請求項６】
前記筒状部材には、前記ラチェット部材に形成された凸部が嵌って前記ラチェット部材の周方向の位置決めを行う凹部が形成されていることを特徴とする請求項１から５までの何れか一項に記載のゼンマイ式タイムスイッチ。
【発明の詳細な説明】
【技術分野】
【０００１】
本発明は、駆動源にゼンマイを用いたゼンマイ式タイムスイッチに関するものである。
【背景技術】
【０００２】
洗濯機、電子レンジ、トースター等の家電製品には、洗濯時間や調理時間を調節するタイマが設けられている。タイマとしては、使用者がつまみを回すことによってゼンマイを巻き上げ、巻き上げられたゼンマイを駆動源として接点を開閉させるゼンマイ式タイムスイッチが提案されている。
【０００３】
かかるゼンマイ式タイムスイッチでは、例えば、つまみが連結された回転軸と、回転軸と同軸状に配置された歯車とが設けられており、歯車の胴部の周りにゼンマイが配置される。また、回転軸と歯車との間にトルクリミッタを設け、回転軸を回転させた後、回転軸を逆回転させた際の歯車の回転を防止することによって、ゼンマイの破損や緩みを防止する構造が採用されている。（特許文献１参照）。
【先行技術文献】
【特許文献】
【０００４】
【特許文献１】特開２０１２−４７２７５号公報
【発明の概要】
【発明が解決しようとする課題】
【０００５】
ゼンマイ式タイムスイッチでは、周方向の遊びをもって回転軸と一体に回転可能な円筒状の筒状部材を回転軸の周りに配置し、筒状部材の外周側にゼンマイを巻回した構成が採用される場合がある。この場合、歯車と係合するワンウエイクラッチ用の係合爪、およびゼンマイの内側端部を保持するゼンマイ保持部を備えたラチェット部材を筒状部材と歯車との間に設け、ゼンマイ保持部については、筒状部材の外周面で開口する切欠きに嵌めてラチェット部材と筒状部材とを一体に回転可能とする。
【０００６】
しかしながら、上記構成では、回転軸および筒状部材を回転させてゼンマイを巻き上げた際、ラチェット部材のゼンマイ保持部がゼンマイによって径方向内側に押圧されてゼンマイ保持部が内側に変形し、回転軸に食い込むことがある。このような状態になると、例えば、回転軸を回転させた後、回転軸を逆回転させた際、筒状部材と歯車との間にトルクリミッタを設けたにもかかわらず、回転軸の回転がラチェット部材に伝達されてしまい、ゼンマイの破損やゼンマイの緩みが発生する等、好ましくない。
【０００７】
以上の問題点に鑑みて、本発明の課題は、回転軸の周りに筒状部材を設け、ラチェット部材のゼンマイ保持部を筒状部材の外周面で開口する切欠きに嵌めた構造を採用した場合でも、ゼンマイ保持部と回転軸との接触を防止することのできるゼンマイ式タイムスイッチを提供することにある。
【課題を解決するための手段】
【０００８】
上記問題を解決するために、本発明は、ゼンマイを駆動源とするゼンマイ式タイムスイッチであって、軸線周りに回転可能な回転軸と、前記回転軸と同軸状に配置され、前記回転軸にトルクリミッタを介して結合された歯車と、外周面に前記ゼンマイが巻回され、周方向に遊びをもって前記回転軸と一体に回転可能な円筒状の筒状部材と、前記軸線周りの一方側に回転する際に前記歯車と係合し、前記軸線周りの他方側に回転する際には前記歯車との係合が解除される係合爪、および前記ゼンマイの内側端部を保持するゼンマイ保持
部を備えたラチェット部材と、を有し、前記筒状部材には、前記筒状部材の外周面で開口して前記ゼンマイ保持部が嵌った切欠きと、前記切欠きの径方向内側で前記ゼンマイ保持部と前記回転軸との間に介在する仕切り壁と、が設けられていることを特徴とする。
【０００９】
本発明では、回転軸を回転させると、筒状部材が回転し、ラチェット部材のゼンマイ保持部が回転するので、ゼンマイを巻き上げることができる。そして、回転軸を開放すると、ゼンマイが解放されるので、ゼンマイの駆動力によって歯車および回転軸を回転させることができる。従って、回転軸によって設定した角度位置から回転軸が原点位置まで戻るまでの時間が設定時間となる。ここで、ゼンマイの内側の端部を保持するラチェット部材のゼンマイ保持部は、筒状部材の切欠きに嵌っているが、筒状部材には、切欠きの径方向内側にゼンマイ保持部と回転軸との間に介在する仕切り壁が設けられている。このため、ゼンマイを巻き上げた際、ゼンマイによってゼンマイ保持部が径方向内側に押圧されても、ゼンマイ保持部と回転軸との接触が仕切り壁によって阻止されるので、ゼンマイ保持部が回転軸に食い込むという事態が発生しにくい。
【００１０】
本発明において、前記筒状部材は、前記回転軸に嵌る第１円筒部と、前記第１円筒部より大の内径をもって前記第１円筒部の軸線方向の一方側に連接し、前記切欠きおよび前記仕切り壁が設けられた第２円筒部と、を有し、前記仕切り壁は、前記第１円筒部の前記軸線方向の前記一方側の端面と繋がっており、前記筒状部材は、前記回転軸から径方向外側に突出した軸部が前記仕切り壁に周方向から当接した際に前記回転軸と一体に回転可能である態様を採用することができる。かかる態様によれば、仕切り壁の周方向の強度が大であるため、仕切り壁が損傷しにくい。
【００１１】
本発明において、前記仕切り壁の径方向内側の面は、前記第１円筒部の内周面と連続した面を構成し、前記回転軸の外周面に接している態様を採用することができる。かかる態様によれば、仕切り壁の強度が大であるため、仕切り壁が損傷しにくい。
【００１２】
本発明において、前記筒状部材には、径方向外側に突出して前記ラチェット部材を前記歯車とは反対側から面で支持する支持板部を備えている態様を採用することができる。かかる態様によれば、ラチェット部材を確実に支持することができるので、ラチェット部材の変形を抑制することができる。
【００１３】
本発明において、前記筒状部材には、前記ラチェット部材に形成された凸部が嵌って前記ラチェット部材の周方向の位置決めを行う凹部が形成されている態様を採用することができる。かかる態様によれば、ラチェット部材を筒状部材に適正に位置合わせすることができるので、ゼンマイ式タイムスイッチを組み立てる際、ラチェット部材のゼンマイ保持部を筒状部材の切欠きに嵌めるのが容易である。
【発明の効果】
【００１４】
本発明では、回転軸を回転させると、筒状部材が回転し、ラチェット部材のゼンマイ保持部が回転するので、ゼンマイを巻き上げることができる。そして、回転軸を開放すると、ゼンマイが解放されるので、ゼンマイの駆動力によって歯車および回転軸を回転させることができる。従って、回転軸によって指定した角度位置に回転軸が到達したまでの時間を指定時間とすることができる。ここで、ゼンマイの内側の端部を保持するラチェット部材のゼンマイ保持部は、筒状部材の切欠きに嵌っているが、筒状部材には、切欠きの径方向内側にゼンマイ保持部と回転軸との間に介在する仕切り壁が設けられている。このため、ゼンマイを巻き上げた際、ゼンマイによってゼンマイ保持部が径方向内側に押圧されても、ゼンマイ保持部と回転軸との接触が仕切り壁によって阻止されるので、ゼンマイ保持部が回転軸に食い込むという事態が発生しにくい。
【図面の簡単な説明】
【００１５】
【図１】本発明を適用したゼンマイ式タイムスイッチの平面図である。
【図２】図１に示すゼンマイ式タイムスイッチを伝達機構に用いた歯車に沿って切断したときの説明図である。
【図３】本発明を適用したゼンマイ式タイムスイッチの回転軸周辺の構成を示す説明図である。
【図４】本発明を適用したゼンマイ式タイムスイッチの回転軸周辺を軸線に沿って切断したときの半断面図である。
【図５】本発明を適用したゼンマイ式タイムスイッチの回転軸の周辺を軸線に対して直交する方向に切断したときの断面図である。
【図６】本発明を適用したゼンマイ式タイムスイッチの筒状部材の周辺の説明図である。
【発明を実施するための形態】
【００１６】
図面を参照して、本発明を適用したゼンマイ式タイムスイッチ１を説明する。なお、以下の説明において、回転軸３の軸線Ｌ周りにおいて、ゼンマイ２を巻き上げる方向を時計周りＣＷとし、ゼンマイ２が巻き戻る方向を反時計周りＣＣＷとして説明する。また、軸線Ｌ方向において、カバー１２から回転軸３が突出する側を一方側Ｌ１とし、ケース１１側を他方側Ｌ２として説明する。
【００１７】
（全体構成）
図１は、本発明を適用したゼンマイ式タイムスイッチ１の平面図である。図２は、図１に示すゼンマイ式タイムスイッチ１を伝達機構７に用いた歯車に沿って切断したときの説明図である。なお、図１では、カバー等の図示を省略してある。
【００１８】
図１および図２に示すゼンマイ式タイムスイッチ１は、洗濯機、電子レンジ、トースター等の家電製品において、洗濯時間や調理時間を調節するタイマである。ゼンマイ式タイムスイッチ１は、駆動源としてのゼンマイ２と、ゼンマイ２の巻き上げや時間の設定等を行う回転軸３と、ゼンマイ２の動力を伝達する伝達機構７と、ゼンマイ２の付勢力の伝達速度を調節する調速機構８とを備えている。これらの部材等は、ケース１１とカバー１２の内側に配置され、回転軸３においてカバー１２から突出した部分にはつまみ（図示せず）が連結される。つまみやカバー１２には、時間を設定するための目盛等の指標が付されている。回転軸３には、伝達機構７の第１歯車７１が支持されており、回転軸３と第１歯車７１とは、回転軸３の軸線Ｌ周りに一体に回転可能である。
【００１９】
本形態では、図３等を参照して後述するように、回転軸３の周りに筒状部材４が配置され、筒状部材４は、周方向に遊びをもって回転軸３と一体に回転可能である。また、筒状部材４の周りには、ゼンマイ２が巻回されているとともに、筒状部材４の周りには、筒状部材４と一体に回転可能なラチェット部材５が配置されている。ここで、ラチェット部材５は、ゼンマイ２の内側端部を保持するゼンマイ保持部５５を有しており、ゼンマイ２の外側端部は、ケース１１等の保持されている。従って、回転軸３を軸線Ｌ周りに時計周りＣＷの方向に所定の角度位置まで回転させて時間を設定する際、筒状部材４が軸線Ｌ周りに時計周りＣＷの方向に回転する。従って、ラチェット部材５のゼンマイ保持部５５が軸線Ｌ周りに時計周りＣＷの方向に回転するので、ゼンマイ２を巻き上げることができる。そして、回転軸３を開放すると、ゼンマイ２が解放されるので、ゼンマイ２の駆動力によって回転軸３および第１歯車７１を軸線Ｌ周りに反時計周りＣＣＷの方向に回転させることができる。
【００２０】
伝達機構７は、第１歯車７１、第２歯車７２、第３歯車７３、および第４歯車７４を有している。第２歯車７２、第３歯車７３、および第４歯車７４は各々、ケース１１とカバ
ー１２とに両端が支持された支軸７２０、７３０、７４０に回転可能に支持されている。第１歯車７１は平歯車であり、第２歯車７２は、第１歯車７１と噛み合う小径歯車７２１と、小径歯車７２１より大径の大径歯車７２２とを有している。第３歯車７３は、第２歯車７２の大径歯車７２２と噛み合う小径歯車７３１と、小径歯車７３１より大径の大径歯車７３２とを有している。第４歯車７４は、第３歯車７３の大径歯車７３２と噛み合う小径歯車７４１と、小径歯車７４１より大径の大径歯車７４２とを有している。
【００２１】
調速機構８は、がんぎ車８１と振り子８２とを有しており、がんぎ車８１および振り子８２は各々、ケース１１とカバー１２とに両端が支持された支軸８１０、８２０に回転可能に支持されている。がんぎ車８１は、第４歯車７４の大径歯車７４２と噛み合う平歯車８１１と、周方向に等間隔に設けられたがんぎ爪８１２とを有している。振り子８２は、がんぎ車８１のがんぎ爪に係合する２つの振り子爪８２１を有している。従って、がんぎ車８１が回転すると、振り子８２が一方方向に回転し、２つの振り子爪８２１の一方が、複数のがんぎ爪８１２のうち一つに係合し、がんぎ車８１の回転を阻止する方向に負荷を掛ける。この負荷を押し返すようにがんぎ車８１がさらに回転すると、振り子８２は他方方向に回動する。このように、振り子８２が揺動しながら、振り子爪８２１ががんぎ爪８１２に対して出入りする。これにより、ゼンマイ２の付勢力の強弱によらず、振り子８２の揺動の周期に応じてがんぎ車８１が等速回転する。その結果、伝達機構７を構成する各歯車（第１歯車７１、第２歯車７２、第３歯車７３、および第４歯車７４）、および回転軸３も一定の速度で回転する。
【００２２】
回転軸３等にはカム部材９１が設けられている。このため、回転軸３が回転し、設定した時間が経過した際に所定の角度位置に到達すると、カム部材９１によって可動部材９５が駆動され、接点板９２が駆動される。その結果、２つの端子９６、９７は、短絡した状態と離間した状態とに切り換わるので、洗濯機、電子レンジ、トースター等の家電製品では、２つの端子９６、９７の状態に基づいて、モータやヒータへの給電を制御することができる。
【００２３】
（回転軸３周辺の構成）
図３は、本発明を適用したゼンマイ式タイムスイッチ１の回転軸３周辺の構成を示す説明図であり、回転軸３周辺の斜視図、および回転軸３周辺の分解斜視図である。図４は、本発明を適用したゼンマイ式タイムスイッチ１の回転軸３周辺を軸線Ｌに沿って切断したときの半断面図である。図５は、本発明を適用したゼンマイ式タイムスイッチ１の回転軸３の周辺を軸線Ｌに対して直交する方向に切断したときの断面図である。図６は、本発明を適用したゼンマイ式タイムスイッチ１の筒状部材４の周辺の説明図であり、図６（ａ）、（ｂ）は、筒状部材４の周辺の斜視図、および筒状部材４の周辺の分解斜視図である。なお、図３では、第１歯車７１およびカム部材９１を一点鎖線で示してある。
【００２４】
図３および図４に示すように、ゼンマイ式タイムスイッチ１の回転軸３の周りには、止め輪３１と、第１歯車７１と、外周面にゼンマイ２が巻回された円筒状の筒状部材４と、板状のラチェット部材５とが回転軸３に対して同軸状に配置されている。また、回転軸３の周りにはカム部材９１が固定されている。筒状部材４は、軸線Ｌ方向の他方側Ｌ２で止め輪３１によって軸線Ｌ方向の他方側Ｌ２の移動が阻止された状態にある。
【００２５】
図３、図４、図５および図６に示すように、筒状部材４は、回転軸３に嵌る第１円筒部４１と、第１円筒部４１より大の内径をもって第１円筒部４１の軸線Ｌ方向の一方側Ｌ１に連接した第２円筒部４２とを有しており、第１円筒部４１が軸受部となって回転軸３に対して相対回転な状態にある。
【００２６】
図６に示すように、第２円筒部４２において、軸線Ｌ方向の一方側Ｌ１の端面４２０か
ら軸線Ｌ方向の他方側Ｌ２に離間した位置には、相対向する部分から互いに反対方向に向けて突出した支持板部４３、４４が突出し、一方の支持板部４３には貫通穴４３０が形成されている。端面４２０には、支持板部４３に対して約１２０°の角度をなす角度方向に溝状の凹部４２１、４２２が形成されている。第２円筒部４２の外周面４２４には、軸線Ｌ方向に延在するリブ４２５が等角度間隔の３個所に設けられている。
【００２７】
筒状部材４の第２円筒部４２において、支持板部４３が形成されている部分には、外周側に向けて開口した切欠き４６が形成されており、切欠き４６は、支持板部４３の貫通穴４３０と繋がっている。切欠き４６は、軸線Ｌ方向の他方側Ｌ２に設けられた第１切欠き部４６１と、第１切欠き部４６１に対して軸線Ｌ方向の一方側Ｌ１で繋がる第２切欠き部４６２とからなり、第１切欠き部４６１の周方向の寸法は、第２切欠き部４６２の周方向の寸法より短い。
【００２８】
筒状部材４の第２円筒部４２において、第１切欠き部４６１の径方向内側には、第１切欠き部４６１を径方向内側で塞ぐ仕切り壁４７が形成されており、仕切り壁４７は、第１円筒部４１の軸線Ｌ方向の一方側Ｌ１の端面４１０と繋がっている。また、仕切り壁４７の径方向内側の面４７０は、第１円筒部４１の内周面４１１と連続した面を構成し、図５に示すように、回転軸３の外周面３０に接している。
【００２９】
図３に示すように、回転軸３には軸線Ｌに対して直交する方向に穴３６が形成されており、穴３６には、軸体３７が嵌っている。この状態では、軸体３７の一方の端部（軸部３７０）は、回転軸３の外周面３０から突出している。このため、回転軸３が軸線Ｌ周りに回転した際、軸部３７０が仕切り壁４７と周方向から当接した際には、回転軸３と筒状部材４とは軸線Ｌ周りに一体に回転するが、軸部３７０と仕切り壁４７とが周方向で離間しているときには、回転軸３が軸線Ｌ周りに回転しても、筒状部材４は回転しない。このようにして、筒状部材４は、周方向に遊びをもって回転軸３と一体に回転可能な構成になっている。
【００３０】
ラチェット部材５は、筒状部材４の第２円筒部４２の周りに位置する円環部５１と、円環部５１の外縁において１８０°の角度方向で離間する位置から軸線Ｌ周りの反時計回りＣＣＷに延在する２つの腕部５２、５３とを有している。腕部５２、５３は各々、図６を参照して説明した筒状部材４の支持板部４３、４４によって軸線Ｌ方向の他方側Ｌ２から面で支持されている。
【００３１】
腕部５２、５３の先端部は、軸線Ｌ方向の一方側Ｌ１に向けて斜めに折れ曲がった爪部５２０、５３０になっている。かかる爪部５２０、５３０は、第１歯車７１の軸線Ｌ方向の他方側Ｌ２の面に形成された複数の係合凹部７１５（図４参照）と係合している。従って、ラチェット部材５の爪部５２０、５３０と第１歯車７１の係合凹部７１５とは、ワンウエイクラッチ１５を構成している。従って、第１歯車７１に対してラチェット部材５が軸線Ｌ周りに反時計周りＣＣＷ（軸線Ｌ周りの一方側）の方向に回転しようとした際には、爪部５２０、５３０が第１歯車７１と係合し、第１歯車７１に対するラチェット部材５の軸線Ｌ周りの反時計周りＣＣＷの相対回転が阻止される。これに対して、第１歯車７１に対してラチェット部材５が軸線Ｌ周りに時計周りＣＷ（軸線Ｌ周りの他方側）の方向に回転しようとした際には、腕部５２、５３が撓んで爪部５２０、５３０による係合が解除されるため、第１歯車７１に対するラチェット部材５の軸線Ｌ周りの時計周りＣＷの相対回転が許容される。
【００３２】
円環部５１の内周縁において腕部５２の根元に相当する部分からは、軸線Ｌ方向の他方側Ｌ２に向けて突出した後、径方向外側に屈曲したゼンマイ保持部５５が形成されており、ゼンマイ保持部５５は、ゼンマイ２の内側端部を保持している。本形態において、ゼン
マイ保持部５５は、筒状部材４の切欠き４６に嵌って、先端側は、第１切欠き部４６１から径方向外側に突出している。ここで、ゼンマイ保持部５５は、第１切欠き部４６１に嵌っているため、第１切欠き部４６１の周方向の両側の壁部はゼンマイ保持部５５に当接している。このため、ラチェット部材５と筒状部材４とは、軸線Ｌ周りに時計周りＣＷの方向および反時計周りＣＣＷの方向のいずれにおいても一体に回転する。
【００３３】
また、円環部５１の内周縁において、ゼンマイ保持部５５に対して約１２０°の角度をなす角度方向には径方向内側に突出して筒状部材４の凹部４２１、４２２に嵌る凸部５１１、５１２が形成されている。従って、ラチェット部材５は、凹部４２１、４２２に凸部５１１、５１２が嵌ることによって、筒状部材４に対して周方向に位置決めされている。
【００３４】
第１歯車７１の円筒部７１２は、止め輪７６、円筒状のスリーブ７７、および摩擦板７８によってラチェット部材５に向けて押し付けられている。従って、第１歯車７１と回転軸３との間には、摩擦板７８と第１歯車７１の円筒部７１２との摩擦結合部１６０によるトルクリミッタ１６が構成されている。
【００３５】
（動作）
本形態のゼンマイ式タイムスイッチ１において、回転軸３を軸線Ｌ周りに時計周りＣＷの方向に回転させると、回転軸３の軸部３７０によって筒状部材４の仕切り壁４７が軸線Ｌ周りに時計周りＣＷの方向に押圧されるので、筒状部材４が軸線Ｌ周りに時計周りＣＷの方向に回転する。従って、ラチェット部材５のゼンマイ保持部５５が筒状部材４によって軸線Ｌ周りに時計周りＣＷの方向に押圧されて回転するので、ゼンマイ２を巻き上げることができる。その際、回転軸３と第１歯車７１との間には、摩擦結合部１６０（トルクリミッタ１６）が構成されているので、第１歯車７１は回転しない。なお、ラチェット部材５が軸線Ｌ周りに時計周りＣＷの方向に回転する際、ラチェット部材５と第１歯車７１との間のワンウエイクラッチ１５は、ラチェット部材５が軸線Ｌ周りに時計周りＣＷの方向に回転することを許容するので、ラチェット部材５は、軸線Ｌ周りに時計周りＣＷの方向に回転する。
【００３６】
その際、設定時間を短い方に設定しなおす際には、回転軸３を軸線Ｌ周りに時計周りＣＷの方向に回転させた後、回転軸３を逆方向（軸線Ｌ周りに時計周りＣＷの方向）に回転させる。その際には、回転軸３の軸部３７０は、筒状部材４の仕切り壁４７から離間するので、筒状部材４は軸線Ｌ周りに反時計周りＣＣＷの方向に回転しない。また、回転軸３と第１歯車７１との間では、摩擦結合部１６０（トルクリミッタ１６）で空周りするので、第１歯車７１は回転しない。また、ラチェット部材５が軸線Ｌ周りに反時計周りＣＣＷの方向に回転しようとしても、かかる回転は、ラチェット部材５と第１歯車７１との間のワンウエイクラッチ１５によって阻止される。従って、ラチェット部材５および筒状部材４が軸線Ｌ周りに反時計周りＣＣＷの方向に回転しないので、ゼンマイ２が巻き戻ることがない。
【００３７】
その後、回転軸３を開放すると、ゼンマイ２が解放されるので、ゼンマイ２の駆動力によって、ラチェット部材５のゼンマイ保持部５５が軸線Ｌ周りに反時計周りＣＣＷの方向に押圧されると、第１歯車７１は、ラチェット部材５によって軸線Ｌ周りに反時計周りＣＣＷの方向に押圧され、回転する。また、回転軸３は、第１歯車７１によって軸線Ｌ周りに反時計周りＣＣＷの方向に押圧され、軸線Ｌ周りに反時計周りＣＣＷの方向に回転する。また、回転軸３は、筒状部材４の仕切り壁４７によって軸部３７０が軸線Ｌ周りに反時計周りＣＣＷの方向に押圧されるので、軸線Ｌ周りに反時計周りＣＣＷの方向に回転する。従って、回転軸３によって設定した角度位置から回転軸３が原点位置まで戻るまでの時間を設定時間とすることができる。
【００３８】
（本形態の主な効果）
以上説明したように、本形態のゼンマイ式タイムスイッチ１では、ゼンマイ２の内側の端部を保持するラチェット部材５のゼンマイ保持部５５は、筒状部材４の切欠き４６の第１切欠き部４６１に嵌っているが、筒状部材４には、第１切欠き部４６１の径方向内側にゼンマイ保持部５５と回転軸３との間に介在する仕切り壁４７が設けられている。このため、回転軸３を時計周りＣＷの方向に回転させてゼンマイ２を巻き上げた際、ゼンマイ２によってゼンマイ保持部５５が径方向内側に押圧されても、ゼンマイ保持部５５と回転軸３との接触が仕切り壁４７によって阻止されるので、ゼンマイ保持部５５が回転軸３に食い込むという事態が発生しにくい。従って、例えば、回転軸３および筒状部材４を時計周りＣＷの方向に回転させてゼンマイ２を巻き上げた後、回転軸３を逆方向（反時計周りＣＣＷの方向）に回転させて設定時間を短い方に設定しなおす際、回転軸３の軸部３７０が筒状部材４の仕切り壁４７に当接するまでの間に、ラチェット部材５が回転軸３に連動して逆方向に回転するという事態が発生しにくいので、ゼンマイ２の破損やゼンマイ２の緩み等の発生を抑制することができる。
【００３９】
また、筒状部材４において、仕切り壁４７は、第１円筒部４１の端面４１０と繋がっている。また、仕切り壁４７の径方向内側の面は、第１円筒部４１の内周面４１１と連続した面を構成している。このため、仕切り壁４７の強度が大であるため、回転軸３の軸部３７０が仕切り壁４７に周方向から当接して回転軸３と筒状部材４とが一体に回転する態様であっても、仕切り壁４７が損傷しにくい。
【００４０】
また、筒状部材４には、径方向外側に突出してラチェット部材５を第１歯車７１とは反対側から面で支持する支持板部４３、４４が設けられているため、ラチェット部材５を確実に支持することができる。それ故、ラチェット部材５の変形を抑制することができる。
【００４１】
また、筒状部材４には、ラチェット部材５に形成された凸部５１１、５１２が嵌ってラチェット部材５の周方向の位置決めを行う凹部４２１、４２２が形成されている。このため、ラチェット部材５を筒状部材４に適正に位置合わせすることができるので、ゼンマイ式タイムスイッチ１を組み立てる際、ラチェット部材５のゼンマイ保持部５５を筒状部材４の切欠き４６に嵌めるのが容易である。
【符号の説明】
【００４２】
１…ゼンマイ式タイムスイッチ、２…ゼンマイ、３…回転軸、４…筒状部材、５…ラチェット部材、７…伝達機構、８…調速機構、１１…ケース、１２…カバー、１５…ワンウエイクラッチ、１６…トルクリミッタ、３７…軸体、４１…第１円筒部、４２…第２円筒部、４３、４４…支持板部、４６…切欠き、４７…仕切り壁、５１…円環部、５２、５３…腕部、５５…ゼンマイ保持部、７１…第１歯車（歯車）７８…摩擦板、１６０…摩擦結合部、３７０…軸部、４２１、４２２…凹部、４２５…リブ、４３０…貫通穴、４６１…第１切欠き部、４６２…第２切欠き部、５１１、５１２…凸部、５２０、５３０…爪部、７１５…係合凹部、Ｌ…軸線
【図１】
0006684662.tif 000002
【図２】
0006684662.tif 000003
【図３】
0006684662.tif 000004
【図４】
0006684662.tif 000005
【図５】
0006684662.tif 000006
【図６】
0006684662.tif 000007